(57)【特許請求の範囲】
【請求項１】
インクジェットプリンタ本体から画像形成面を上向けた状態で排出される記録用紙を順次受け止めてスタックする排紙トレイと、
この排紙トレイの上方を記録用紙の排出方向と直交する方向に延びる軸回りに回転自在に設けられ、インクジェットプリンタ本体から排出されつつある記録用紙を反画像形成面側から接触させて保持する保持部材と、
この保持部材を回転させる駆動機構とを備え、
上記保持部材には、インクジェットプリンタ本体から排出される記録用紙に対しその排出方向に向かって腰付けを行うように記録用紙の排出方向から視て上方または下方へ山形に折れ曲がる折曲部が設けられ、
この保持部材は、上記駆動機構によって、排紙トレイ上にスタックされている先に排出された前記録用紙に対する接触時間を遅らせるように記録用紙を腰付けした状態に保持する保持位置に回転される一方、排紙トレイ上の前記録用紙に対し記録用紙を接触させてスタックさせるように記録用紙の腰付け状態を解除する解除位置に回転されるようになされているとともに、その所定方向への回動によって保持位置から記録用紙の排出方向に折曲部を移動させかつ解除位置から記録用紙の反排出方向に折曲部を移動させて保持位置と解除位置とが交互に繰り返されるようになされていることを特徴とするインクジェットプリンタ。
【請求項２】
上記請求項１に記載のインクジェットプリンタにおいて、
保持部材は、駆動機構によって、インクジェットプリンタ本体からの排出の進行に伴い記録用紙が排紙トレイ上に徐々に落下するように保持位置から解除位置に回転するようになされていることを特徴とするインクジェットプリンタ。
【請求項３】
上記請求項１に記載のインクジェットプリンタにおいて、
保持部材は、記録用紙の排出方向と直交する方向に延びる軸回りに回転自在に支持され、その所定方向への回動によって保持位置と解除位置とが交互に繰り返されるようになされていることを特徴とするインクジェットプリンタ。
【請求項４】
上記請求項１に記載のインクジェットプリンタにおいて、
保持部材は、排出される記録用紙の排出方向と直交する方向の長さよりも長い寸法に設定されていることを特徴とするインクジェットプリンタ。
【請求項５】
インクジェットプリンタ本体から画像形成面を上向けた状態で排出される記録用紙を順次受け止めてスタックする排紙トレイと、
この排紙トレイの上方を記録用紙の排出方向と直交する方向に延びて回転自在に設けられ、インクジェットプリンタ本体から排出されつつある記録用紙を反画像形成面側から接触させて保持する保持部材と、
この保持部材を回転させる駆動機構とを備え、
上記保持部材には、インクジェットプリンタ本体から排出される記録用紙に対しその排出方向に向かって腰付けを行うように記録用紙の排出方向から視て上方または下方へ山形に折れ曲がる折曲部が設けられ、
この保持部材は、上記駆動機構によって、排紙トレイ上にスタックされている先に排出された前記録用紙に対する接触時間を遅らせるように記録用紙を腰付けした状態に保持する保持位置に回転される一方、排紙トレイ上の前記録用紙に対し記録用紙を接触させてスタックさせるように記録用紙の腰付け状態を解除する解除位置に回転されるようになされており、
上記保持部材の少なくとも折曲部は、保持位置にあるときにインクジェットプリンタ本体の排出口よりも高い位置に位置付けられていることを特徴とするインクジェットプリンタ。
【請求項６】
インクジェットプリンタ本体から画像形成面を上向けた状態で排出される記録用紙を順次受け止めてスタックする排紙トレイと、
この排紙トレイの上方を記録用紙の排出方向と直交する方向に延びて回転自在に設けられ、インクジェットプリンタ本体から排出されつつある記録用紙を反画像形成面側から接触させて保持する保持部材と、
この保持部材を回転させる駆動機構とを備え、
上記保持部材には、インクジェットプリンタ本体から排出される記録用紙に対しその排出方向に向かって腰付けを行うように記録用紙の排出方向から視て上方または下方へ山形に折れ曲がる折曲部が設けられ、
この保持部材は、上記駆動機構によって、排紙トレイ上にスタックされている先に排出された前記録用紙に対する接触時間を遅らせるように記録用紙を腰付けした状態に保持する保持位置に回転される一方、排紙トレイ上の前記録用紙に対し記録用紙を接触させてスタックさせるように記録用紙の腰付け状態を解除する解除位置に回転されるようになされているとともに、排出される記録用紙との最初の接触が記録用紙の排出方向前端よりも後側の位置となるように保持位置への回転動作が行われるようになされていることを特徴とするインクジェットプリンタ。
【請求項７】
インクジェットプリンタ本体から画像形成面を上向けた状態で排出される記録用紙を順次受け止めてスタックする排紙トレイと、
この排紙トレイの上方を記録用紙の排出方向と直交する方向に延びて回転自在に設けられ、インクジェットプリンタ本体から排出されつつある記録用紙を反画像形成面側から接触させて保持する保持部材と、
この保持部材を回転させる専用の駆動源を有する駆動機構とを備え、
上記保持部材には、インクジェットプリンタ本体から排出される記録用紙に対しその排出方向に向かって腰付けを行うように記録用紙の排出方向から視て上方または下方へ山形に折れ曲がる折曲部が設けられ、
この保持部材は、上記駆動機構によって、排紙トレイ上にスタックされている先に排出された前記録用紙に対する接触時間を遅らせるように記録用紙を腰付けした状態に保持する保持位置に回転される一方、排紙トレイ上の前記録用紙に対し記録用紙を接触させてスタックさせるように記録用紙の腰付け状態を解除する解除位置に回転されるようになされていることを特徴とするインクジェットプリンタ。
【請求項８】
上記請求項７に記載のインクジェットプリンタにおいて、
駆動機構は、クラッチなどの駆動伝達機構を備え、
保持部材は、上記駆動伝達機構を介して駆動源に連結されていることを特徴とするインクジェットプリンタ。
【請求項９】
インクジェットプリンタ本体から画像形成面を上向けた状態で排出される記録用紙を順次受け止めてスタックする排紙トレイと、
この排紙トレイの上方を記録用紙の排出方向と直交する方向に延びて回転自在に設けられ、インクジェットプリンタ本体から排出されつつある記録用紙を反画像形成面側から接触させて保持する保持部材と、
この保持部材を回転させる駆動機構とを備え、
上記保持部材には、インクジェットプリンタ本体から排出される記録用紙に対しその排出方向に向かって腰付けを行うように記録用紙の排出方向から視て上方または下方へ山形に折れ曲がる折曲部が設けられ、
この保持部材は、上記駆動機構によって、排紙トレイ上にスタックされている先に排出された前記録用紙に対する接触時間を遅らせるように記録用紙を腰付けした状態に保持する保持位置に回転される一方、排紙トレイ上の前記録用紙に対し記録用紙を接触させてスタックさせるように記録用紙の腰付け状態を解除する解除位置に回転されるようになされているとともに、記録用紙に対する接触時に摩擦抵抗が小さくなるように記録用紙に対する接触面積を減少させる複数の凹部または凸部を表面に備えた部材によって形成されていることを特徴とするインクジェットプリンタ。
【請求項１０】
インクジェットプリンタ本体から画像形成面を上向けた状態で排出される記録用紙を順次受け止めてスタックする排紙トレイと、
この排紙トレイの上方を記録用紙の排出方向と直交する方向に延びて回転自在に設けられ、インクジェットプリンタ本体から排出されつつある記録用紙を反画像形成面側から接触させて保持する保持部材と、
この保持部材を回転させる駆動機構とを備え、
上記保持部材には、インクジェットプリンタ本体から排出される記録用紙に対しその排出方向に向かって腰付けを行うように記録用紙の排出方向から視て上方または下方へ山形に折れ曲がる折曲部が設けられ、
この保持部材は、上記駆動機構によって、排紙トレイ上にスタックされている先に排出された前記録用紙に対する接触時間を遅らせるように記録用紙を腰付けした状態に保持する保持位置に回転される一方、排紙トレイ上の前記録用紙に対し記録用紙を接触させてスタックさせるように記録用紙の腰付け状態を解除する解除位置に回転されるようになされており、
上記保持部材の折曲部は記録用紙の排出方向と直交する方向に複数設けられ、インクジェットプリンタ本体から排出される記録用紙は、その排出方向と直交する幅方向において複数の折曲部と対応する部位に複数の凹凸が形成されるようになされていることを特徴とするインクジェットプリンタ。
【請求項１１】
インクジェットプリンタ本体から画像形成面を上向けた状態で排出される記録用紙を順次受け止めてスタックする排紙トレイと、
上記インクジェットプリンタ本体に設けられ、その排出口より排出される記録用紙に腰を付ける腰付け機構と、
上記排紙トレイの上方を記録用紙の排出方向と直交する方向に延びて回転自在に設けられ、インクジェットプリンタ本体から排出されつつある記録用紙を反画像形成面側から接触させて保持する保持部材と、
この保持部材を回転させる駆動機構とを備え、
上記保持部材には、インクジェットプリンタ本体から排出される記録用紙に対しその排出方向に向かって腰付けを行うように記録用紙の排出方向から視て上方または下方へ山形に折れ曲がる折曲部が設けられ、
この保持部材は、上記駆動機構によって、排紙トレイ上にスタックされている先に排出された前記録用紙に対する接触時間を遅らせるように記録用紙を腰付けした状態に保持する保持位置に回転される一方、排紙トレイ上の前記録用紙に対し記録用紙を接触させてスタックさせるように記録用紙の腰付け状態を解除する解除位置に回転されるようになされているとともに、上記排出口から排出される記録用紙が比較的小さなサイズのものである場合には解除位置に位置付けられるようになされていることを特徴とするインクジェットプリンタ。
【発明の詳細な説明】
【０００１】
【発明の属する技術分野】
本発明は、インクジェットプリンタに関し、詳しくは、排紙トレイ上にスタックされている前記録用紙の画像形成部分に対しこれに引き続いて排出される記録用紙の接触を回避できるようにする対策に係わる。
【０００２】
【従来の技術】
一般に、インクジェットプリンタは、その本体から画像形成面を上向けたフェイスアップ状態で排出される記録用紙を順次スタックする排紙トレイを備え、この排紙トレイ上に画像形成済みの記録用紙が排出されるときには、排紙ローラから外れた位置より記録用紙は垂れ下がり、排紙トレイ内に積層されている前記録用紙の上を擦りながら移動し、所定位置に排出されて積層される。
【０００３】
このとき、連続して複数枚の記録用紙を画像形成する場合には、先に画像形成した前記録用紙のインクが乾かないうちに、次の記録用紙が排出され、この用紙が垂れ下がって排紙トレイ内の未乾燥状態の前記録用紙に接触してその上を擦りながら移動し、前記録用紙の画像形成面（画像形成部分）を汚してしまうことになる。
【０００４】
このことから、先に画像形成した前記録用紙に引き続いて画像形成される次の記録用紙を排紙トレイ上において受け止めるまでの間の時間を確実に遅延させて、排紙トレイ上の前記録用紙の画像形成面に対する擦摺による汚れを防止するようにしたものが従来より知られている。具体的には、たとえば、特開平６−９１８６１号公報に開示されるもののように、インクジェットプリンタ本体の排出口の左右両端部（記録用紙の排出方向と直交する方向の両端部）に支持部を設けるとともに、中央に押し下げ部を設け、平坦な状態で排出される記録用紙を、両支持部および押し下げ部によって画像形成面が下方に凹む略凹字状に強制的に変形させて排出方向に向かって腰付けし、排紙トレイ（前記録用紙）の上方に浮かせた状態で排出するようにしている。
【０００５】
【発明が解決しようとする課題】
ところが、上記従来のものでは、両支持部が排出口に固定されているため、両支持部に届かない小さなサイズの記録用紙に対し強制的に腰を付けることができず、小さなサイズの記録用紙を排紙トレイの上方に浮かせた状態で保持することができない。
【０００６】
そこで、このような小さなサイズの記録用紙であっても、排紙トレイの上方に浮かせた状態で保持することができるインクジェットプリンタとして、特開平４−４５９４２号公報に開示されるものが提案されている。このものは、インクジェットプリンタ本体の排出口から排出される記録用紙に対しその排出方向に向かって腰付けを行うように記録用紙の排出方向と直交する方向に千鳥状に配置された櫛形の排紙上ローラおよび櫛形の排紙下ローラを排紙トレイよりも排出方向上流側に備え、この排紙上ローラおよび排紙下ローラを記録用紙の大小のサイズに応じて左右方向（記録用紙の排出方向と直交する方向）に移動させることで、小さなサイズの記録用紙においても強制的に腰を付けて排紙トレイの上方に浮かせた状態で保持することができるようにしている。
【０００７】
しかしながら、上記提案のものでは、記録用紙に腰付けする上で、そのサイズに応じて排紙上ローラおよび排紙下ローラを左右方向に移動させなければならず、その移動機構の構成が非常に複雑なものとなる。
【０００８】
しかも、排紙上ローラおよび排紙下ローラが排紙トレイよりも排出方向上流側に設けられているため、排出方向に長い記録用紙を排出する際にはその排出方向後端側が排紙上ローラおよび排紙下ローラを通過するまでの間、排出方向前端側を十分に腰付けした状態で記録用紙を排紙トレイの上方に浮かせて保持することが難しく、排出方向前端側が排紙途中に排紙トレイ上に垂れ下がってしまうと、排紙トレイ上の前記録用紙の画像形成面を汚してしまうことになる。
【０００９】
本発明は、かかる点に鑑みてなされたものであり、その目的とするところは、簡単な構成で、排紙途中にある記録用紙の腰付けを確実に行えて、排紙トレイ上にある前記録用紙の画像形成面の汚れ防止を確実に行えるようにするインクジェットプリンタを提供することにある。
【００１０】
【課題を解決するための手段】
上記目的を達成するために、本発明では、インクジェットプリンタとして、インクジェットプリンタ本体から画像形成面を上向けた状態で排出される記録用紙を順次受け止めてスタックする排紙トレイと、この排紙トレイの上方を記録用紙の排出方向と直交する方向に延びる軸回りに回転自在に設けられ、インクジェットプリンタ本体から排出されつつある記録用紙を反画像形成面側から接触させて保持する保持部材と、この保持部材を回転させる駆動機構とを備える。さらに、上記保持部材に、インクジェットプリンタ本体から排出される記録用紙に対しその排出方向に向かって腰付けを行うように記録用紙の排出方向から視て上方または下方へ山形に折れ曲がる折曲部を設ける。そして、上記保持部材を、上記駆動機構によって、排紙トレイ上にスタックされている先に排出された前記録用紙に対する接触時間を遅らせるように記録用紙を腰付けした状態に保持する保持位置に回転させる一方、排紙トレイ上の前記録用紙に対し記録用紙を接触させてスタックさせるように記録用紙の腰付け状態を解除する解除位置に回転させるようにするとともに、その所定方向への回動によって保持位置から記録用紙の排出方向に折曲部を移動させかつ解除位置から記録用紙の反排出方向に折曲部を移動させて保持位置と解除位置とを交互に繰り返させるようにしている。
【００１１】
この特定事項により、インクジェットプリンタ本体から排出される記録用紙が保持部材によって排紙トレイの上方で反画像形成面側から直接保持されるので、排紙トレイよりも排出方向上流側にある排紙口の排紙ローラと、排紙トレイ上方の保持部材との排出方向の２箇所で記録用紙が保持されることになる。また、保持部材は、サイズの大小にかかわらず、折曲部によって記録用紙の排出方向に向かって腰付けが行われる。したがって、サイズの大小にかかわらず記録用紙が排紙トレイの上方に浮かせた状態で保持され、排紙途中に排紙トレイ上に記録用紙の排出方向前端側が垂れ下がることもなくなって、排紙トレイ上方での保持状態の間に排紙トレイ上の前記録用紙のインクが十分に乾き、排紙トレイ上の前記録用紙の画像形成面の汚れ防止を確実に行うことが可能となる。
【００１２】
しかも、保持部材は駆動機構によって回転するのみとなるので、駆動機構の構成が非常にシンプルなものとなる。
【００１３】
その上、保持部材を回転させるだけで保持位置と解除位置とが交互に繰り返され、折曲部による記録用紙への腰付け動作が簡単に制御される上、駆動機構の構成がよりシンプルなものとなる。
【００１４】
特に、駆動手段による保持部材の回転動作に特徴があるものとして、以下の構成が掲げられる。
【００１５】
つまり、インクジェットプリンタ本体からの排出の進行に伴い記録用紙が排紙トレイ上に徐々に落下するように保持部材を駆動機構によって保持位置から解除位置に回転させるようにしている。
【００１６】
この特定事項により、インクジェットプリンタ本体から排出される記録用紙は、排出の進行に伴って保持位置から解除位置に回転する保持部材によって、搬出方向前側での保持が徐々に解除されて排紙トレイ上にゆっくりと落下し、その間に排紙トレイ上の前記録用紙のインクが十分に乾いて、排紙トレイ上の前記録用紙の画像形成面の汚れ防止を確実に行うことが可能となる。
【００１７】
特に、保持部材の回転動作を簡単に制御するものとして、以下の構成が掲げられる。
【００１８】
つまり、記録用紙の排出方向と直交する方向に延びる軸回りに保持部材を回転自在に支持し、その所定方向への回動によって保持部材の保持位置と解除位置とを交互に繰り返すようにしている。
【００１９】
この特定事項により、保持部材を回転させるだけで保持位置と解除位置とに交互に変換され、折曲部による記録用紙への腰付け動作が簡単に制御される上、駆動機構の構成がよりシンプルなものとなる。
【００２０】
特に、保持部材による記録用紙の保持力を高め得るものとして、以下の構成が掲げられる。
【００２１】
つまり、保持部材を、排出される記録用紙の排出方向と直交する方向の長さよりも長い寸法に設定している。
【００２２】
この特定事項により、インクジェットプリンタ本体から排出される記録用紙は、その排出方向と直交する幅方向のほぼ全域が保持部材に接触して保持されることになり、記録用紙の保持力を高め得ることが可能となる。
【００２３】
また、上記本発明の目的を達成するための他のインクジェットプリンタとして、インクジェットプリンタ本体から画像形成面を上向けた状態で排出される記録用紙を順次受け止めてスタックする排紙トレイと、この排紙トレイの上方を記録用紙の排出方向と直交する方向に延びて回転自在に設けられ、インクジェットプリンタ本体から排出されつつある記録用紙を反画像形成面側から接触させて保持する保持部材と、この保持部材を回転させる駆動機構とを備える。さらに、上記保持部材に、インクジェットプリンタ本体から排出される記録用紙に対しその排出方向に向かって腰付けを行うように記録用紙の排出方向から視て上方または下方へ山形に折れ曲がる折曲部を設ける。そして、上記保持部材を、上記駆動機構によって、排紙トレイ上にスタックされている先に排出された前記録用紙に対する接触時間を遅らせるように記録用紙を腰付けした状態に保持する保持位置に回転させる一方、排紙トレイ上の前記録用紙に対し記録用紙を接触させてスタックさせるように記録用紙の腰付け状態を解除する解除位置に回転させるようにしている。また、上記保持部材の少なくとも折曲部を、保持位置にあるときにインクジェットプリンタ本体の排出口よりも高い位置に位置付けている。
【００２４】
この特定事項により、保持部材が保持位置にあるときにインクジェットプリンタ本体の排出口よりも高い位置に少なくとも折曲部が位置付けられているので、インクジェットプリンタ本体から排出される記録用紙は、その排出方向と直交する幅方向の折曲部と対応する部位が斜め上方に向かって保持されながら排出され、記録用紙に対し十分な腰付けが容易に行えることになる。
【００２５】
そして、上記本発明の目的を達成するための他のインクジェットプリンタとして、インクジェットプリンタ本体から画像形成面を上向けた状態で排出される記録用紙を順次受け止めてスタックする排紙トレイと、この排紙トレイの上方を記録用紙の排出方向と直交する方向に延びて回転自在に設けられ、インクジェットプリンタ本体から排出されつつある記録用紙を反画像形成面側から接触させて保持する保持部材と、この保持部材を回転させる駆動機構とを備える。さらに、上記保持部材に、インクジェットプリンタ本体から排出される記録用紙に対しその排出方向に向かって腰付けを行うように記録用紙の排出方向から視て上方または下方へ山形に折れ曲がる折曲部を設ける。そして、上記保持部材を、上記駆動機構によって、排紙トレイ上にスタックされている先に排出された前記録用紙に対する接触時間を遅らせるように記録用紙を腰付けした状態に保持する保持位置に回転させる一方、排紙トレイ上の前記録用紙に対し記録用紙を接触させてスタックさせるように記録用紙の腰付け状態を解除する解除位置に回転させるようにしているとともに、排出される記録用紙との最初の接触が記録用紙の排出方向前端よりも後側の位置となるように保持位置への回転動作を行わせるようにしている。
【００２６】
この特定事項により、排出される記録用紙との最初の接触が記録用紙の排出方向前端よりも後側の位置となるように保持部材の保持位置への回転動作が行われるようにしているので、インクジェットプリンタ本体から排出される記録用紙は、その排出方向前端が保持部材に当接するなどしてジャム状態となることが回避され、保持部材の上にスムーズに載って円滑に保持されることになる。
【００２７】
また、上記本発明の目的を達成するための他のインクジェットプリンタとして、インクジェットプリンタ本体から画像形成面を上向けた状態で排出される記録用紙を順次受け止めてスタックする排紙トレイと、この排紙トレイの上方を記録用紙の排出方向と直交する方向に延びて回転自在に設けられ、インクジェットプリンタ本体から排出されつつある記録用紙を反画像形成面側から接触させて保持する保持部材と、この保持部材を回転させる専用の駆動源を有する駆動機構とを備える。さらに、上記保持部材に、インクジェットプリンタ本体から排出される記録用紙に対しその排出方向に向かって腰付けを行うように記録用紙の排出方向から視て上方または下方へ山形に折れ曲がる折曲部を設ける。そして、上記保持部材を、上記駆動機構によって、排紙トレイ上にスタックされている先に排出された前記録用紙に対する接触時間を遅らせるように記録用紙を腰付けした状態に保持する保持位置に回転させる一方、排紙トレイ上の前記録用紙に対し記録用紙を接触させてスタックさせるように記録用紙の腰付け状態を解除する解除位置に回転させるようにしている。
【００２８】
この特定事項により、駆動機構に設けられた専用の駆動源によって保持部材が回転するようになっているので、記録用紙のサイズの大小に応じた保持部材の細かい制御を簡単な構成で行うことが可能となる上、保持部材の回転動作を用紙のサイズに応じて無駄なく行うことが可能となる。
【００２９】
ここで、駆動機構にクラッチなどの駆動伝達機構を設け、この駆動伝達機構を介して保持部材を駆動源に連結している場合には、記録用紙のサイズの大小に応じた保持部材の細かい制御を駆動源に対し負担を与えることなく円滑に行うことが可能となる上、保持部材の回転動作を用紙のサイズに応じて無駄なく行うことが可能となる。
【００３０】
そして、上記本発明の目的を達成するための他のインクジェットプリンタとして、インクジェットプリンタ本体から画像形成面を上向けた状態で排出される記録用紙を順次受け止めてスタックする排紙トレイと、この排紙トレイの上方を記録用紙の排出方向と直交する方向に延びて回転自在に設けられ、インクジェットプリンタ本体から排出されつつある記録用紙を反画像形成面側から接触させて保持する保持部材と、この保持部材を回転させる駆動機構とを備える。さらに、上記保持部材に、インクジェットプリンタ本体から排出される記録用紙に対しその排出方向に向かって腰付けを行うように記録用紙の排出方向から視て上方または下方へ山形に折れ曲がる折曲部を設ける。そして、上記保持部材を、上記駆動機構によって、排紙トレイ上にスタックされている先に排出された前記録用紙に対する接触時間を遅らせるように記録用紙を腰付けした状態に保持する保持位置に回転させる一方、排紙トレイ上の前記録用紙に対し記録用紙を接触させてスタックさせるように記録用紙の腰付け状態を解除する解除位置に回転させるようにするとともに、記録用紙に対する接触時に摩擦抵抗が小さくなるように記録用紙に対する接触面積を減少させる複数の凹部または凸部を表面に備えた部材によって形成している。
【００３１】
この特定事項により、記録用紙に対する接触時に摩擦抵抗を小さくする部材によって保持部材が形成されているので、保持部材の記録用紙に対する摩擦抵抗が小さくなり、保持部材による搬出力の低下が抑制され、記録用紙を円滑に排出することが可能となる。
【００３２】
しかも、記録用紙に対する接触面積を減少させる複数の凹凸部を保持部材の表面に設けているので、保持部材の表面に複数の凹部または凸部を設けるだけで記録用紙に対する接触面積が減少し、記録用紙に対する摩擦抵抗を容易に小さくすることが可能となる。
【００３３】
また、上記本発明の目的を達成するための他のインクジェットプリンタとして、インクジェットプリンタ本体から画像形成面を上向けた状態で排出される記録用紙を順次受け止めてスタックする排紙トレイと、この排紙トレイの上方を記録用紙の排出方向と直交する方向に延びて回転自在に設けられ、インクジェットプリンタ本体から排出されつつある記録用紙を反画像形成面側から接触させて保持する保持部材と、この保持部材を回転させる駆動機構とを備える。さらに、上記保持部材に、インクジェットプリンタ本体から排出される記録用紙に対しその排出方向に向かって腰付けを行うように記録用紙の排出方向から視て上方または下方へ山形に折れ曲がる折曲部を設ける。そして、上記保持部材を、上記駆動機構によって、排紙トレイ上にスタックされている先に排出された前記録用紙に対する接触時間を遅らせるように記録用紙を腰付けした状態に保持する保持位置に回転させる一方、排紙トレイ上の前記録用紙に対し記録用紙を接触させてスタックさせるように記録用紙の腰付け状態を解除する解除位置に回転させるようにする。加えて、上記保持部材の折曲部を記録用紙の排出方向と直交する方向に複数設け、インクジェットプリンタ本体から排出される記録用紙の排出方向と直交する幅方向において複数の折曲部と対応する部位に、複数の凹凸を形成するようにしている。
【００３４】
この特定事項により、保持部材の折曲部が記録用紙の排出方向と直交する方向に複数設けられ、インクジェットプリンタ本体から排出される記録用紙は、その排出方向と直交する幅方向において複数の折曲部と対応する部位に複数の凹凸が形成されるので、記録用紙の腰付けを強くすることが可能となる。
【００３５】
更に、上記本発明の目的を達成するための他のインクジェットプリンタとして、インクジェットプリンタ本体から画像形成面を上向けた状態で排出される記録用紙を順次受け止めてスタックする排紙トレイと、上記インクジェットプリンタ本体に設けられ、その排出口より排出される記録用紙に腰を付ける腰付け機構と、上記排紙トレイの上方を記録用紙の排出方向と直交する方向に延びて回転自在に設けられ、インクジェットプリンタ本体から排出されつつある記録用紙を反画像形成面側から接触させて保持する保持部材と、この保持部材を回転させる駆動機構とを備える。さらに、上記保持部材に、インクジェットプリンタ本体から排出される記録用紙に対しその排出方向に向かって腰付けを行うように記録用紙の排出方向から視て上方または下方へ山形に折れ曲がる折曲部を設けている。そして、上記保持部材を、上記駆動機構によって、排紙トレイ上にスタックされている先に排出された前記録用紙に対する接触時間を遅らせるように記録用紙を腰付けした状態に保持する保持位置に回転させる一方、排紙トレイ上の前記録用紙に対し記録用紙を接触させてスタックさせるように記録用紙の腰付け状態を解除する解除位置に回転させるようにするとともに、上記排出口から排出される記録用紙が比較的小さなサイズのものである場合に解除位置に位置付けるようにしている。
【００３６】
この特定事項により、インクジェットプリンタ本体にその排出口より排出される記録用紙に腰を付ける腰付け機構が設けられているので、排出口から排出される記録用紙が比較的小さなサイズのものである場合には保持部材を解除位置に位置付けていても、腰付け機構による腰付けだけで排紙トレイの上方に十分に保持することが可能となり、解除位置に位置付けられた保持部材にサイズの小さな記録用紙が接触しない分だけ排紙時間が短縮されて画像形成時間のロスをなくすことが可能となる。
【００４９】
【発明の実施の形態】
以下、本発明の実施の形態を図面に基づいて説明する。
【００５０】
先ず、本発明の実施形態に係るカラーインクジェットプリンタ（インクジェットプリンタ）の構成を図１および図２に基づいて説明する。図１はカラーインクジェットプリンタの外観を示す斜視図である。図２はカラーインクジェットプリンタの内部構造を示す図である。
【００５１】
図１に示すように、本カラーインクジェットプリンタ１は、本体としてのキャビネット２の底部に給紙トレイ３が備えられ、また、この給紙トレイ３の上方には、キャビネット２から排出される記録用紙Ｐを順次受け止めてスタックする排紙トレイ４が備えられている。
【００５２】
一方、図２に示すように、キャビネット２の内部には、給紙トレイ３から排紙トレイ４に亘って、ピックアップローラ１１、給紙ローラ１２、略Ｕ型の搬送路１３、ＰＳローラ１４、インクタンク１５及びインクヘッド１６を備えたインクキャリッジ１７、排紙ローラ１８が順に設けられている。また、本カラーインクジェットプリンタ１は各部を制御する制御装置（図示せず）を有している。尚、以下に説明するカラーインクジェットプリンタ１での処理および動作は、特に断らない限り制御装置が制御するものとする。
【００５３】
また、図３に示すように、キャビネット２の右側部には、ＰＳローラ１４および排紙ローラ１８を駆動する駆動モータ２１が設けられている。この駆動モータ２１の駆動軸（図示せず）には駆動ギヤ２１ａが回転一体に連結されている。また、下側のＰＳローラ１４および下側の排紙ローラ１８には、それぞれ従動ギヤ１４ａ，１８ａが回転一体に連結されている。そして、下側のＰＳローラ１４の従動ギヤ１４ａは、上記駆動ギヤ２１ａに噛合している。また、下側の排紙ローラ１８の従動ギヤ１８ａは、互いに相対方向に回転するアイドルギヤ２２，２２を介して上記駆動ギヤ２１ａに噛合している。
【００５４】
そして、プリント動作が開始されると、先ず、給紙トレイ３に収納されている記録用紙Ｐの１枚がピックアップローラ１１により取り出され、搬送ローラ１２により搬送路１３に導かれる。その後、この記録用紙Ｐは、インクキャリッジ１７に対向する画像形成位置１９に搬送される。そして、記録用紙Ｐが画像形成位置１９を通過する際に、記録用紙Ｐの位置データおよび画像を形成するためのプリントデータ（画像情報）に基づいてインクキャリッジ１７のインクヘッド１６からインクが吐出されることにより、記録用紙Ｐに対して画像形成が行われる。具体的には、記録用紙Ｐが画像形成位置１９まで搬送されると、インクキャリッジ１７が、図２の紙面鉛直方向に移動しながらインクヘッド１６からインクを吐出し、これによって記録用紙Ｐへの画像形成を行っていく。インクキャリッジ１７が記録用紙Ｐの一端部まで移動すると、記録用紙Ｐを所定量だけ移動（搬送）させた後、停止させる。そして、再びインクキャリッジ１７が図２の紙面鉛直方向に移動しながら画像形成が行われる。このようにして、インクキャリッジ１７による画像形成動作と、記録用紙Ｐの送り動作とが交互に行われて記録用紙Ｐ全体への画像形成が行われる。
【００５５】
表面に画像が形成された記録用紙Ｐは、その排出方向と直交する幅方向の中心が排紙トレイ４の幅方向の中心と一致した状態で、排紙ローラ１８によって排紙トレイ４上に排出される。この場合、所定の画像形成が行われた記録用紙Ｐは、排紙トレイ４上にフェースアップ状態（画像形成面が上向きの状態）で排出される。
【００５６】
ここで、図１に基づいて、本カラーインクジェットプリンタ１における方向を定義する。図１に示すように、画像形成位置１９における記録用紙Ｐの排出方向（図中矢印Ａ方向）をｘ方向、このｘ方向と直交する方向をｙ方向とする。このｙ方向が記録用紙Ｐおよび排紙トレイ４の左右方向（幅方向）となる。
【００５７】
排紙トレイ４上には用紙汚れ防止装置６が設けられている。図４にも示すように、この用紙汚れ防止装置６は、排紙トレイ４の上方を左右方向に延び、その左右両端部６１ａ，６１ａ（図５および図６に表れる）が排紙トレイ４の左右両側壁（排紙ローラ１８よりも記録用紙の排出方向下流側）にそれぞれ回転自在に支持された円管状の保持部材６１と、この保持部材６１を回転させる駆動機構６２（図３に表れる）とを備えている。
【００５８】
図５および図６に示すように、保持部材６１は、その左右両端部６１ａ，６１ａに対し半径方向外方に膨出する膨出部６１ｂを備え、この膨出部６１ｂによって、キャビネット２から排出されつつある記録用紙Ｐを反画像形成面側（下面側）から接触させて保持するようになされている。この膨出部６１ｂの中央には、キャビネット２から排出される記録用紙Ｐに対しその排出方向に向かって腰付けを行うように、記録用紙Ｐの排出方向から視て下方へ山形に折れ曲がる折曲部６１ｃが設けられている。この場合、図５および図６に示すように、記録用紙Ｐは、その幅方向の中心が排紙トレイ４の幅方向の中心と一致した状態で排出されるので、サイズの大小にかかわらず幅方向のほぼ中心に排出方向に向かって腰付けされることになる。なお、サイズの大きな記録用紙ＰとしてはＡ３サイズのものが、サイズの小さな記録用紙ＰとしてはＡ４サイズのものがそれぞれ適用されている。
【００５９】
一方、図３に示すように、駆動機構６２は、駆動源として上記駆動モータ２１が兼用され、駆動伝達機構としての電磁クラッチ６３を備えている。この電磁クラッチ６３は、保持部材６１の右側端部６１ａと、この右側端部６１ａに取り付けられた従動ギヤ６４との間に設けられている。また、下側の排紙ローラ１８の従動ギヤ１８ａと、上記保持部材６１の従動ギヤ６４とは、アイドルギヤ６５を介して噛合されている。そして、電磁クラッチ６３は、駆動モータ２１から駆動ギヤ２１ａ、２つのアイドルギヤ２２，２２、下側の排紙ローラ１８の従動ギヤ１８ａおよびアイドルギヤ６５を介して保持部材６１の従動ギヤ６４に伝達された回転力を保持部材６１に対し断接するようになされている。
【００６０】
そして、図７に示すように、上記保持部材６１は、上記駆動機構６によって、排紙トレイ４上にスタックされている前記録用紙Ｐ´に対する接触時間を遅らせるように記録用紙Ｐを腰付けした状態に保持する保持位置（図７のｃ、ｄに示す位置）に回転される一方、排紙トレイ４上の前記録用紙Ｐ´に対し記録用紙Ｐを接触させてスタックさせるように記録用紙Ｐの腰付け状態を解除して解除位置（図７のｇに示す位置）に回転されるようになされている。具体的には、保持部材６１は、記録用紙Ｐの排出方向と直交する幅方向に延びる軸回りに回転自在に支持され、キャビネット２から排出される記録用紙Ｐの排出の進行に伴い該記録用紙Ｐを排紙トレイ４上に徐々に落下させるように、駆動機構６による所定方向（図７に示す反時計回り方向）への回動によって保持位置と解除位置とが交互に繰り返されるようになされている。この場合、保持部材６１は、その所定方向への回動によって保持位置から記録用紙の排出方向に折曲部６１ｃが移動する一方、解除位置から記録用紙Ｐの反排出方向に折曲部６１ｃが移動して、保持位置と解除位置とが交互に繰り返されるようになされている。
【００６１】
また、保持部材６１は、排紙トレイ４の幅方向（左右方向）の全域に亘って設けられ、キャビネット２から排紙トレイ４上に排出される記録用紙Ｐの幅方向の長さよりも長い寸法に設定されている。
【００６２】
次に、制御装置による保持部材６１の回転動作の制御を図７に基づいて説明する。この場合、保持部材６１は、解除位置（図７のｇに示す位置）に位置しているものとする。
【００６３】
まず、駆動モータ２１の回転によりＰＳローラ１４および排紙ローラ１８が回転すると、アイドルギヤ６５を介して従動ギヤ６４が回転し、その回転力を電磁クラッチ６３を介して保持部材６１の左側端部６１ａに伝達させて、図７の（ａ）に示すように、膨出部６１ｂをキャビネット２から排出される記録用紙Ｐの下方に位置するように保持部材６１を所定方向（図７では反時計回りの方向）に回転させる。
【００６４】
そして、図７の（ｂ）に示すように、記録用紙Ｐの排出方向前端が膨出部６１ｂの上方を通過すると、その排出方向前端よりも後側の位置に対し保持部材６１がせり上がって膨出部６１ｂを初めて接触させる。これにより、キャビネット２から排出される記録用紙Ｐは、その排出方向前端が保持部材６１に当接するなどしてジャム状態となることが回避され、保持部材６１の上にスムーズに載って円滑に保持することができることになる。
【００６５】
その後、図７の（ｃ）に示すように、保持部材６１を保持位置に位置付け、記録用紙Ｐの左右両側を膨出部６１ｂの左右両側によって上方を押し上げながら、記録用紙Ｐの幅方向中央に折曲部６１ｃに沿った腰付けを開始する。このとき、保持部材６１に対する従動ギヤ６４の回転力の伝達を電磁クラッチ６３により切断し、保持部材６１を保持位置に位置付けておく。
【００６６】
図７の（ｄ）に示すように、保持部材６１を保持位置に位置付けた状態で待機させ、記録用紙Ｐの排出を進行させることで、記録用紙Ｐの排出方向に向かって腰付けを継続して行い、記録用紙Ｐを排出トレイ４上にスタックされている前記録用紙Ｐ´の上方に保持する。このとき、保持部材６１による記録用紙Ｐの保持によって、排紙トレイ４上にスタックされている前記録用紙Ｐ´の画像形成面のインクの乾くまでの時間が確保される。
【００６７】
しかる後、記録用紙Ｐの排出方向後端が排出ローラ１８、１８間のニップを通過すると、保持部材６１に対する従動ギヤ６４の回転力を電磁クラッチ６３により接続し、図７の（ｅ）に示すように、保持部材６１の回転を再開させて保持位置での待機を解除し、記録用紙Ｐの排出方向前端から排紙トレイ４上の前記録用紙Ｐ´に対して接触させながら、排出方向後側のみを保持部材６１によって保持する。
【００６８】
それから、図７の（ｆ）に示すように、保持部材６１の回転が進行すると、この保持部材６１に対し接触する記録用紙Ｐの排出方向後端部のみを保持部材６１によって保持する。そして、図７の（ｇ）に示すように、保持部材６１が解除位置に到達すると、記録用紙Ｐの排出方向後端部が保持部材６１から離脱し、記録用紙Ｐを排紙トレイ４上の前記録用紙Ｐ´上にスタックさせて、次の記録用紙Ｐの排出動作に備えて保持部材６１を解除位置に待機させておく。
【００６９】
したがって、上記実施形態では、キャビネット２から排出される記録用紙Ｐが保持部材６１によって排紙トレイ４の上方で反画像形成面側から直接保持されるので、排紙トレイ４よりも排出方向上流側にある排紙ローラ１８，１８と、排紙トレイ４上方の保持部材６１との排出方向の２箇所で記録用紙Ｐが保持されることになる。また、保持部材６１は、排紙トレイ４の幅方向の中心と一致した状態で排出される記録用紙Ｐの幅方向中心に対し折曲部６１ｃによって排出方向に向かって腰付けが行われる。したがって、サイズの大小（Ａ３サイズおよびＡ４サイズ）にかかわらず記録用紙Ｐが排紙トレイ４の上方に浮かせた状態で保持され、排紙途中に排紙トレイ４上に記録用紙Ｐの排出方向前端側が垂れ下がることもなくなって、排紙トレイ４上方での保持状態の間に排紙トレイ４上の前記録用紙Ｐ´のインクが十分に乾き、排紙トレイ４上の前記録用紙Ｐ´の画像形成面の汚れ防止を確実に行うことができる。
【００７０】
しかも、保持部材６１は駆動機構６２によって回転するのみの構成となるので、駆動機構６２の構成を非常にシンプルなものにすることができる。また、キャビネット２から排出される記録用紙Ｐは、排出の進行に伴って保持位置から解除位置に回転する保持部材６１によって、搬出方向前側での保持が徐々に解除されて排紙トレイ４上にゆっくりと落下し、その間に排紙トレイ４上の前記録用紙Ｐ´のインクが十分に乾いて、排紙トレイ４上の前記録用紙Ｐ´の画像形成面の汚れ防止を確実に行うことができる。さらに、保持部材６１を回転させるだけで保持位置と解除位置とに交互に変換され、折曲部６１ｃによる記録用紙Ｐへの腰付け動作を簡単に制御することができる上、駆動機構６２の構成を非常にシンプルなものにすることができる。しかも、保持部材６１の幅方向の長さが記録用紙Ｐの幅方向の長さよりも長い寸法に設定されているので、キャビネット２から排出される記録用紙Ｐは、その幅方向のほぼ全域が保持部材６１に接触して保持されることになり、記録用紙Ｐの保持力を高め得ることができる。
【００７１】
また、保持部材６１に対する従動ギヤ６４の回転力の伝達が電磁クラッチ６３の断接によって行われるので、記録用紙Ｐの排出方向の長さに応じて保持部材６１の保持位置での待機時間が設定されることになり、キャビネット２から排出される記録用紙Ｐは、そのサイズの大小に応じて保持部材６１による保持位置での保持状態が回動動作を停止する待機時間の変更によって行われ、あらゆるサイズの記録用紙Ｐの排出を円滑に行うことができる。
【００７２】
さらに、電磁クラッチ６３を介して保持部材６１が従動プーリ６４（駆動モータ２１）に断接可能に連結されているので、記録用紙Ｐのサイズの大小に応じた保持部材３１の細かい制御を駆動モータ２１に対し負担を与えることなく円滑に行うことができる。
【００７３】
なお、本発明は上記実施形態に限定されるものではなく、その他種々の変形例を包含している。たとえば、上記実施形態では、膨出部６１ｂの中央に記録用紙Ｐの排出方向から視て下方へ山形に折れ曲がる折曲部６１ｃを設けたが、図８および図９に示すように、保持部材７１の膨出部７１ｂの中央に記録用紙Ｐの排出方向から視て上方へ山形に折れ曲がる折曲部７１ｃが設けられていてもよく、この保持部材７１の折曲部７１ｃは、保持位置にあるときにキャビネット２の排出口（排出ローラ１８，１８間のニップ）よりも高い位置に位置付けられている。この場合、キャビネット２から排出される記録用紙Ｐは、その幅方向の折曲部７１ｃと対応する部位が斜め上方に向かって保持されながら排出され、記録用紙Ｐに対し十分な腰付けを容易に行うことができることになる。
【００７４】
また、上記実施形態では、保持部材６１に対する従動ギヤ６４の回転力の伝達を電磁クラッチ６３の断接により行うようにしたが、図８および図９に示すように、駆動機構に保持部材７１をダイレクトに回転させる専用の駆動モータ７２を設け、この駆動モータ７２が保持部材７１の右側端部７１ａに連結されていてもよい。この場合、記録用紙Ｐのサイズの大小に応じた保持部材７１の細かい制御を簡単な構成で行うことができるとともに、保持部材７１の回転動作を用紙のサイズに応じて無駄なく行うことができる。
【００７５】
しかも、上記実施形態では、保持部材６１の膨出部６１ｂの中央に単一の折曲部６１ｃを設けたが、図１０および図１１に示すように、保持部材８１の左右両端部８１ａ間の膨出部８１ｂの左右両位置に、保持位置においてそれぞれ下方に折曲する折曲部８１ｃ，８１ｃが設けられていてもよい。この場合、キャビネット２から右端を位置合わせした状態で排出される記録用紙Ｐは、その幅方向において２つの折曲部８１ｃ，８１ｃとそれぞれ対応する部位に２つの凹凸が形成され、記録用紙Ｐのサイズの大小にかかわることなく腰付けを強固に行うことができる。このような折曲部８１ｃは２つに限定されるものではなく、膨出部８１ｂの幅方向に３つ以上設けられていてもよいのはもちろんのこと、保持位置においてそれぞれ上方に折曲する折曲部であってもよい。
【００７６】
そして、上記実施形態では、保持部材６１として円管形状のものを用いたが、図１２および図１３に示すように、記録用紙Ｐに対する接触面積を減少させる複数の凹部９０，…を保持部材９１の左右両端部９１ａ，９１ａ間における膨出部９１ｂの表面に設けていてもよい。この場合、膨出部９１ｂの表面に複数の凹部９０，…を設けるだけで、記録用紙Ｐに対する接触面積が減少し、記録用紙Ｐに対する摩擦抵抗を容易に小さくすることができることになり、よって保持部材９１による搬出力の低下を抑制させて記録用紙Ｐを円滑に排出させることができる。また、記録用紙に対する接触面積を減少させる複数の凸部が保持部材の膨出部の表面に設けられていてもよいのはもちろんである。
【００７７】
さらに、上記実施形態では、保持部材６１の折曲部６１ｃによって記録用紙Ｐに対し腰付けを行うように構成したが、排紙ローラに、キャビネットから排出される記録用紙に対し腰付けを行う機構が設けられていてもよい。そして、キャビネットから排出される記録用紙が比較的小さなサイズのものである場合には保持部材を解除位置に位置付けておくことで、サイズの小さな記録用紙については腰付け機構による腰付けだけで排紙トレイの上方に十分に保持することができ、解除位置に位置付けられた保持部材にサイズの小さな記録用紙が接触しない分だけ排紙時間を短縮させて画像形成時間のロスをなくすことができることになる。
【００７８】
【発明の効果】
以上のように、インクジェットプリンタ本体から排出される記録用紙を保持部材によって排紙トレイの上方で反画像形成面側から直接保持することで、排紙ローラと排紙トレイ上方の保持部材との２箇所で記録用紙を保持して折曲部による記録用紙への腰付けを行い、サイズの大小にかかわらず記録用紙を排紙トレイの上方に浮かせた保持状態の間に排紙トレイ上の前記録用紙のインクを十分に乾かせて、前記録用紙の画像形成面の汚れ防止を確実に行うことができる。しかも、保持部材を駆動機構によって回転させるのみとし、駆動機構の構成を非常にシンプルなものにすることができる。更に、保持部材の所定方向への回動によって保持位置から記録用紙の排出方向に折曲部を移動させかつ解除位置から記録用紙の反排出方向に折曲部を移動させて、保持位置と解除位置とを交互に繰り返すようにすることで、保持部材を回転させるだけで保持位置と解除位置とを交互に繰り返し、折曲部による記録用紙への腰付け動作を簡単に制御できる上、駆動機構の構成をよりシンプルなものにすることができる。
【００７９】
特に、保持部材を駆動機構によって保持位置から解除位置に回転させることで、記録用紙の搬出方向前側での保持を徐々に解除して排紙トレイ上にゆっくりと落下させ、排紙トレイ上の前記録用紙の画像形成面の汚れ防止を確実に行うことができる。
【００８０】
特に、保持部材の所定方向への回動によって保持位置と解除位置とを交互に繰り返すようにすることで、保持部材を回転させるだけで保持位置と解除位置とに交互に変換し、折曲部による記録用紙への腰付け動作を簡単に制御できる上、駆動機構の構成をよりシンプルなものにすることができる。
【００８１】
特に、記録用紙の排出方向と直交する方向の長さよりも長い寸法に保持部材を設定することで、記録用紙の幅方向のほぼ全域を保持部材に接触させて、記録用紙の保持力を高め得ることができる。
【００８２】
特に、保持位置にある保持部材の少なくとも折曲部をインクジェットプリンタ本体の排出口よりも高い位置に位置付けることで、記録用紙の折曲部と対応する部位を斜め上方に向かって保持しながら排出させて、記録用紙に対し十分な腰付けを容易に行うことができる。
【００８３】
特に、記録用紙の排出方向前端よりも後側の位置で記録用紙との最初の接触を行うように保持部材を回転動作させることで、記録用紙の排出方向前端の保持部材への当接によるジャム状態を回避し、保持部材の上にスムーズに載せて円滑に保持することができる。
【００８４】
特に、専用の駆動源により保持部材を回転させることで、記録用紙のサイズの大小に応じた保持部材の細かい制御を簡単な構成で行うことができるとともに、保持部材７１の回転動作を用紙のサイズに応じて無駄なく行うことができる。
【００８５】
また、クラッチなどの駆動伝達機構を介して保持部材を駆動源に連結することで、記録用紙のサイズの大小に応じた保持部材の細かい制御を駆動源に対し負担を与えることなく円滑にかつ無駄なく行うことができる。
【００８６】
特に、摩擦抵抗を小さくする部材によって保持部材を形成することで、保持部材による搬出力の低下を抑制し、記録用紙を円滑に排出することができる。また、複数の凹部または凸部を保持部材の表面に設けることで、記録用紙に対する接触面積を減少させて、記録用紙に対する摩擦抵抗を容易に小さくすることができる。
【００８７】
特に、保持部材の折曲部を幅方向に複数設け、記録用紙の幅方向に複数の凹凸を形成することで、記録用紙の腰付けを強固にすることができる。
【００８８】
さらに、インクジェットプリンタ本体に腰付け機構を設け、比較的小さなサイズの記録用紙を排出する場合に保持部材を解除位置に位置付けることで、サイズの小さな記録用紙を腰付け機構による腰付けだけで排紙トレイの上方に十分に保持することができ、保持部材に対するサイズの小さな記録用紙の接触による排紙時間を短縮して画像形成時間のロスをなくすことができる。
【図面の簡単な説明】
【図１】本発明の実施形態に係るカラーインクジェットプリンタの記録用紙の排出開始直後の状態を示す外観斜視図である。
【図２】カラーインクジェットプリンタの内部構成を示す概略断面図である。
【図３】駆動機構の内部構成を示す概略断面図である。
【図４】カラーインクジェットプリンタの記録用紙の排出状態を示す外観斜視図である。
【図５】Ａ３サイズの記録用紙の腰付け状態を排紙トレイの排出方向下流側から示す保持部材の説明図である。
【図６】Ａ４サイズの記録用紙の腰付け状態を排紙トレイの排出方向下流側から示す保持部材の説明図である。
【図７】（ａ）は記録用紙の排紙開始直後の保持部材の回動状態を示す説明図である。
（ｂ）は記録用紙に対し初めて接触する位置まで保持部材が回動した状態を示す説明図である。
（ｃ）は保持位置まで保持部材が回動した状態を示す説明図である。
（ｄ）は保持位置で停止した保持部材による記録用紙への腰付け状態を示す説明図である。
（ｅ）は記録用紙の排紙完了状態での保持部材の回動状態を示す説明図である。
（ｆ）は記録用紙を排紙トレイ上に載置する直前の保持部材の回動状態を示す説明図である。
（ｇ）は解除位置まで保持部材が回動した状態を示す説明図である。
【図８】本実施形態の変形例に係わるＡ３サイズの記録用紙の腰付け状態を排紙トレイの排出方向下流側から視た保持部材の説明図である。
【図９】同じくＡ４サイズの記録用紙の腰付け状態を排紙トレイの排出方向下流側から視た保持部材の説明図である。
【図１０】本実施形態のその他の変形例に係わるＡ３サイズの記録用紙の腰付け状態を排紙トレイの排出方向下流側から視た保持部材の説明図である。
【図１１】同じくＡ４サイズの記録用紙の腰付け状態を排紙トレイの排出方向下流側から示す保持部材の説明図である。
【図１２】本実施形態のその他の変形例に係わる保持部材を排紙トレイの排出方向下流側から示す説明図である。
【図１３】同じく保持部材の膨出部の拡大図である。
【符号の説明】
１            カラーインクジェットプリンタ（インクジェットプリンタ）
２            キャビネット（インクジェットプリンタ本体）
４                        排紙トレイ
６１，７１，８１，９１
保持部材
６１ｃ，７１ｃ，８１ｃ
折曲部
６２                    駆動機構
６３                    電磁クラッチ（駆動伝達機構）
７２          駆動モータ（駆動源）
９０                  凹部
Ｐ                    記録用紙
【図１】
0003546012.tif 000002
【図２】
0003546012.tif 000003
【図３】
0003546012.tif 000004
【図４】
0003546012.tif 000005
【図５】
0003546012.tif 000006
【図６】
0003546012.tif 000007
【図７】
0003546012.tif 000008
【図８】
0003546012.tif 000009
【図９】
0003546012.tif 000010
【図１０】
0003546012.tif 000011
【図１１】
0003546012.tif 000012
【図１２】
0003546012.tif 000013
【図１３】
0003546012.tif 000014